(57)【要約】      （修正有）【課題】広い輝度のダイナミックレンジ（ＨＤＲ）で画像の撮像を可能とする所定のフォーマットで撮像した画像について、その所定のフォーマットに対応していない電子機器においても表示を可能とする撮像装置を提供する。【解決手段】デジタルカメラ１００は、被写体を撮像し、元画像データを生成するイメージセンサ１１５と、輝度のダイナミックレンジが広い第１画像データを生成するための特定の撮影モードにおいて、元画像データから、第１画像データと、第１画像データよりも小さい輝度のダイナミックレンジを有する第２画像データとを生成する画像処理部１２０と、第１画像データおよび第２画像データを記録媒体に記録するメモリカード１４２と、を備える。第１画像データ及び第２画像データは静止画のデータであり、第２画像データは、第１画像データよりも高い露出値で生成される。【選択図】図１
2020022004.tif 000002
【特許請求の範囲】
【請求項１】
被写体を撮像し、元画像データを生成する撮像部と、
輝度のダイナミックレンジが広い第１画像データを生成するための特定の撮影モードにおいて、前記元画像データから、前記第１画像データと、前記第１画像データよりも小さい輝度のダイナミックレンジを有する第２画像データとを生成する画像処理部と、
前記第１画像データおよび第２画像データを記録媒体に記録する記録部と、を備え、
前記第１画像データ及び前記第２画像データは静止画のデータであり、
前記第２画像データは、前記第１画像データよりも高い露出値で生成される
撮像装置。
【請求項２】
絞り値、シャッタ速度及びＩＳＯ感度に基づき適正露出を決定する制御部をさらに備え、
前記撮像部は、適正露出である第１の露出値よりも低い第２の露出値で被写体を撮像して前記元画像データを生成し、
前記画像処理部は、前記元画像データから、前記第２の露出値で前記第１画像データを生成し、かつ、前記第１の露出値で前記第２画像データを生成する、
請求項１に記載の撮像装置。
【請求項３】
絞り値、シャッタ速度及びＩＳＯ感度に基づき適正露出を決定する制御部をさらに備え、
前記撮像部は、適正露出よりも低い露出値で被写体を撮像して第１の元画像データを生成し、
前記画像処理部は、前記第１の元画像データから前記第１画像データを生成し、
前記撮像部は、適正露出で被写体を撮像して第２の元画像データを生成し、
前記画像処理部は、前記第２の元画像データから前記第２画像データを生成する、
請求項１に記載の撮像装置。
【請求項４】
表示部と、
前記第１画像データ又は前記第２画像データを前記表示部に表示させる制御部と、
同時に記録された前記第１画像データ及び前記第２画像データのいずれかを前記表示部に表示する際に、前記第１画像データの表示と前記第２画像データの表示を切り替えるための指示を受け付ける操作部と、
をさらに備えた
請求項１に記載の撮像装置。
【請求項５】
前記第１画像データと前記第２画像データとは拡張子を除き同じファイル名を有する、請求項１に記載の撮像装置。
【請求項６】
前記第１画像データは、HDR Still Photo interfaceフォーマットにしたがい記録された画像であり、前記第２画像データは、JPEGフォーマットにしたがい記録された画像である、請求項１に記載の撮像装置。
【発明の詳細な説明】
【技術分野】
【０００１】
本開示は、広い輝度のダイナミックレンジの画像の撮影が可能な撮像装置に関する。
【背景技術】
【０００２】
特許文献１の画像処理装置は、撮像により得られた静止画データを取得する取得部と、取得部に取得された静止画データを用いて、輝度のダイナミックレンジが互いに異なり、かつ、互いに独立して再生することが可能な第１静止画データおよび第２静止画データを含む、論理的に１つのデータ単位を生成する生成部と、生成部によって生成されたデータ単位を出力する出力部と、を備える。この画像処理装置によれば、利便性の高い静止画データを得ることができる。
【先行技術文献】
【特許文献】
【０００３】
【特許文献１】国際公開２０１８／０２１２６１号ガゼット
【特許文献２】特開２０１８−７４２２６号公報
【発明の概要】
【発明が解決しようとする課題】
【０００４】
本開示は、広い輝度のダイナミックレンジ（ＨＤＲ）で画像の撮像を可能とする所定のフォーマットで撮像した画像について、その所定のフォーマットに対応していない電子機器においても表示を可能とする撮像装置を提供する。
【課題を解決するための手段】
【０００５】
本開示の第一の態様において、被写体を撮像し、元画像データを生成する撮像部と、輝度のダイナミックレンジが広い第１画像データを生成するための特定の撮影モードにおいて、元画像データから、第１画像データと、第１画像データよりも小さい輝度のダイナミックレンジを有する第２画像データとを生成する画像処理部と、第１画像データおよび第２画像データを記録媒体に記録する記録部と、を備える撮像装置が提供される。第１画像データ及び第２画像データは静止画のデータであり、第２画像データは、第１画像データよりも高い露出値で生成される。
【発明の効果】
【０００６】
本開示によれば、広い輝度のダイナミックレンジで画像の撮像を可能とする所定のフォーマットで撮影した画像に関して、その所定のフォーマットの画像の再生機能を有しない電子機器においても、その画像と同様の画像を表示させることができ、ユーザの利便性を損なうことがない。
【図面の簡単な説明】
【０００７】
【図１】本開示の一実施の形態であるデジタルカメラの構成を示すブロック図
【図２】ＨＤＲ画像の表示の問題を説明した図
【図３】ＨＤＲ画像撮影時の画像データの生成を説明した図
【図４】デジタルカメラにおける画像撮影時の処理を示すフローチャート
【図５】デジタルカメラにおける画像撮影時の別の処理を説明した図
【図６】デジタルカメラにおける画像撮影時の別の処理を示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
（本開示に至った経緯）
撮像装置において輝度のダイナミックレンジを拡大した画像を撮影する方法として、ＨＤＲ（High Dynamic Range）がある。ＨＤＲで撮影した静止画（以下「ＨＤＲ画像」という）は、ＨＤＲ画像を再生する機能を有する再生装置（例えば、テレビ、パーソナルコンピュータ）で適切に再生（表示）することができる。しかし、再生装置が、ＨＤＲ画像を再生する機能を有していない場合、その再生装置はＨＤＲ画像を適正に再生することができない。よって、例えば、撮像装置においてＨＤＲ機能により撮影を行いＨＤＲ画像が生成され、メモリカードに記録された後、メモリカードがデジタルカメラから取り出されて再生装置に挿入されたときに、その再生装置がＨＤＲ画像の再生機能を有していない場合は、ＨＤＲ画像を適切に再生（表示）することはできない。このため、ユーザの利便性が損なわれる。
【００１０】
この問題を解決するため、例えば、特許文献２では、撮像装置においてＨＤＲ画像を、ＨＤＲ画像よりもダイナミックレンジが低いＳＤＲ画像に変換し、出力している。しかし、この方法では、撮像装置に変換機能を持たせる必要があり、また、ＨＤＲ画像からＳＤＲ（Standard Dynamic Range）画像への変換タイミングを特定するのが困難であり、撮像装置への実装上問題がある。
【００１１】
本開示では、このような問題を解決すべく、ＨＤＲ機能により画像を撮影する際に、ＨＤＲ画像とともに、一般的な再生装置で再生できるよく知られたフォーマット（例えば、ＪＰＥＧ）の画像を生成する撮像装置を提供する。ＨＤＲ画像の再生機能を有しない再生装置は、よく知られたフォーマットの画像を再生することで、ユーザはＨＤＲ画像と実質的に同一画像の内容を閲覧することができ、ユーザの不便を解消できる。以下、このような撮像装置の詳細を説明する。
【００１２】
（実施の形態１）
〔１−１．構成〕
図１は、本開示の実施の形態にかかるデジタルカメラの構成を示した図である。デジタルカメラ１００は、被写体を撮像して画像データを生成する。特に、本実施の形態のデジタルカメラ１００は、ダイナミックレンジの広いＨＤＲ画像の撮影する機能を有している。
【００１３】
デジタルカメラ１００は、光学系１１０を介して形成された被写体像をイメージセンサ１１５で撮像し画像データを生成する。画像処理部１２０は、イメージセンサ１１５により生成された撮像データに対して各種処理を施して画像データを生成する。コントローラ１３５は、画像処理部１２０にて生成された画像データをカードスロット１４０に装着されたメモリカード１４２に記録する。また、コントローラ１３５は、メモリカード１４２に記録された画像データを、使用者による操作部１５０の操作にしたがい液晶モニタ１３０上に表示させること（再生）ができる。
【００１４】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１５】
イメージセンサ１１５は、光学系１１０を介して形成された被写体像を撮像して撮像データを生成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、コントローラ１３５によって制御される。イメージセンサ１１５は、ＣＭＯＳイメージセンサ、ＣＣＤイメージセンサ、またはＮＭＯＳイメージセンサなど、種々のイメージセンサを用いることができる。
【００１６】
画像処理部１２０は、イメージセンサ１１５から出力された撮像データに対して各種の処理を施して画像データを生成する。また、画像処理部１２０は、メモリカード１４２から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータ、プロセッサなどで構成してもよい。
【００１７】
液晶モニタ１３０は、デジタルカメラ１００の背面に備わる。液晶モニタ１３０は、画像処理部１２０にて処理された画像データに基づく画像を表示する。なお、液晶モニタに代えて、有機ＥＬモニタなど、他のモニタを用いてもよい。
【００１８】
コントローラ１３５はＣＰＵを含み、デジタルカメラ１００全体の動作を統括制御する。コントローラ１３５は、ＣＰＵに代えて、所定の機能を実現するように設計された専用の電子回路で構成されるプロセッサを含んでもよい。すなわち、コントローラ１３５は、ＣＰＵ、ＭＰＵ、ＧＰＵ、ＤＳＵ、ＦＰＧＡ、ＡＳＩＣ等の種々のプロセッサで実現できる。コントローラ１３５は１つまたは複数のプロセッサで構成してもよい。また、コントローラ１３５は、画像処理部１２０などと共に１つの半導体チップで構成してもよい。図示していないが、コントローラ１３５はＲＯＭを内蔵する。また、ＲＯＭには、コントローラ１３５が実行する様々なプログラムが記憶されている。また、コントローラ１３５はＣＰＵの作業領域として機能するＲＡＭ（図示せず）を内蔵している。
【００１９】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２０】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理部１２０で生成される画像データなどのデータを格納できる。
【００２１】
フラッシュメモリ１４５は不揮発性の記録媒体である。
【００２２】
操作部１５０は、デジタルカメラ１００の外装に設けられた操作釦や操作レバー等のハードキーの総称であり、使用者による操作を受け付ける。操作部１５０は、例えば、レリーズ釦、モードダイヤル、タッチパネルを含む。操作部１５０はユーザによる操作を受け付けると、ユーザ操作に対応した操作信号をコントローラ１３５に送信する。
【００２３】
Ｗｉ-Ｆｉモジュール１５５は、通信規格ＩＥＥＥ８０２．１１またはＷｉ−Ｆｉ規格に準拠した通信を行う通信モジュール（回路）である。デジタルカメラ１００は、Ｗｉ-Ｆｉモジュール１５５を介して、Ｗｉ-Ｆｉモジュールを搭載した他の機器と通信することができる。デジタルカメラ１００は、Ｗｉ-Ｆｉモジュール１５５を介して、他の機器と直接通信を行ってもよいし、アクセスポイント経由で通信を行ってもよい。
【００２４】
Ｂｌｕｅｔｏｏｔｈモジュール１６０は、通信規格８０２．１５．１すなわちＢｌｕｅｔｏｏｔｈ（登録商標）規格に準拠した通信を行うためのモジュール（回路）である。デジタルカメラ１００は、Ｂｌｕｅｔｏｏｔｈモジュール１６０を介して他の機器とＢｌｕｅｔｏｏｔｈ規格に準拠した通信を行うことができる。
【００２５】
なお、デジタルカメラ１００は撮像装置の一例である。イメージセンサ１１５は撮像部の一例である。画像処理部１２０は画像処理部の一例である。コントローラ１３５は制御部の一例である。液晶モニタ１３０は表示部の一例である。カードスロット１４０は記録部の一例である。メモリカード１４２は記録媒体の一例である。
【００２６】
〔１−２．動作〕
以上のような構成を有するデジタルカメラ１００における画像撮像動作を以下に説明する。
【００２７】
本実施の形態のデジタルカメラ１００は、輝度のダイナミックレンジが広い静止画であるＨＤＲ画像を生成するための特定の撮影モード（以下「ＨＤＲ撮影モード」という）を有する。ＨＤＲ撮影モードは、例えば、モードダイヤル、所定の操作ボタン、メニュー画面などを介してユーザが設定することができる。
【００２８】
本実施の形態では、ＨＤＲ画像の記録フォーマットとして、例えば、HDR Still Photo interface（以下「ＨＳＰフォーマット」という）を採用する。ＨＳＰフォーマットは、全米家電協会（CTA: Consumer Technology Association）により、ＨＤＲで静止画を記録するために規定されたフォーマット（CTA-2072）である。ＨＳＰフォーマットでは、ＨＬＧ（Hybrid Log-Gamma）方式にしたがいＨＤＲ画像を生成する。このため、デジタルカメラ１００は、ＨＤＲ撮影モードでの撮影では、被写体の高輝度の情報が失われないようにするため、適正露出よりも低い露出値で画像を撮像する。例えば、適正露出よりも一段分低い露出で画像を撮像する。ここで、適正露出とは、コントローラ１３５により、ユーザにより指定された又は自動で設定された絞り値、シャッタ速度及びＩＳＯ感度に基づき自動で決定される露出値である。
【００２９】
図２に示すように、ＨＤＲ撮影モードで撮影した画像は、ＨＤＲ画像の表示に対応している電子機器８０（例えば、テレビ、パーソナルコンピュータ）でしか再生することができない。すなわち、ＳＤＲ（Standard Dynamic Range）静止画にしか対応しておらず、ＨＤＲ画像の表示に対応していない電子機器８２では、ＨＤＲ撮影モードで撮影した画像を表示することができない。これは、ユーザにとっては不便である。本実施の形態のデジタルカメラ１００はこのような問題を解決する。
【００３０】
図３は、デジタルカメラ１００によるＨＤＲ画像の撮影時の画像データの生成を説明した図である。
【００３１】
デジタルカメラ１００は、ユーザからＨＤＲ撮影モードでの画像撮影の指示を受けたときに、高輝度の情報が失われないようにするため適正露出よりも低い露出値で撮像動作を行い、ＲＡＷデータ５０（元画像データの一例）を生成する。ＲＡＷデータ５０は、例えば、適正露出よりも１段階低い露出値で生成される。
【００３２】
その後、デジタルカメラ１００は、ＲＡＷデータ５０から、フォーマット及び露出の異なる２つの画像データ５２、５４を生成する。１つの画像データはＨＤＲフォーマットにしたがった画像データ５２（以下「ＨＤＲ画像データ」という）であり、他の画像データはＪＰＥＧフォーマットにしたがった画像データ５４（以下「ＪＰＥＧ画像データ」という）である。ＨＤＲ画像データ５２は、ＲＡＷデータ５０から、適正露出よりも低い露出で生成される。例えば、ＨＤＲ画像データ５２は、適正露出よりも１段階低い露出で生成される。ＪＰＥＧ画像データ５４は、ＲＡＷデータ５０から、適正露出で生成される。
【００３３】
このように、デジタルカメラ１００は、ユーザからＨＤＲ撮影モードでの画像撮影の指示を受けたときに、露出が異なる２種類の画像データ、すなわち、ＨＤＲ画像データ５２とＪＰＥＧ画像データ５４を同時に生成する。ＨＤＲ画像データ５２とＪＰＥＧ画像データ５４は、同じＲＡＷデータ５０から生成されるため、同じ被写体を撮影した画像となる。ＨＤＲ画像データ５２とＪＰＥＧ画像データ５４には、拡張子を異ならせた同じファイル名が付与される。例えば、ＨＤＲ画像データ５２には、ファイル名「ＸＸＸＸＸ．ＨＳＰ」（または、「ＸＸＸＸＸ．ＨＤＲ」）を、ＪＰＥＧ画像データ５４には、ファイル名「ＸＸＸＸＸ．ＪＰＧ」を付与する。このように、同じファイル名（拡張子を除く）を付与することで、同時に生成されたＨＤＲ画像データ５２とＪＰＥＧ画像データ５４とを対応づけて管理することができる。ＨＤＲ画像データ５２とＪＰＥＧ画像データ５４はメモリカード１４２に格納される。
【００３４】
ＨＤＲ画像に対応した電子機器８０は、ＨＤＲ画像データ５２を再生することができる。しかし、ＨＤＲ画像に対応していない電子機器８２は、ＨＤＲ画像データ５２を再生することができない。しかし、ＨＤＲ画像に対応していない電子機器８２は、ＪＰＥＧ画像データ５４を再生することができる。このように、ＨＤＲ画像に対応していない機器であっても、ＨＤＲ画像データ５２と同じ被写体及び構図の画像を表示することができる。
【００３５】
〔１−２−１．画像撮像動作〕
図４は、デジタルカメラにおける画像撮影時の処理を示すフローチャートである。図４のフローチャートを参照して、デジタルカメラにおける画像撮像時の処理を説明する。
【００３６】
ユーザによりレリーズ釦の押下による画像撮影指示がなされると（Ｓ１０でＹＥＳ）、コントローラ１３５は、撮影モードがＨＤＲ撮影モードか否かを判断する（Ｓ１１）。ＨＤＲ撮影モードである場合（Ｓ１１でＹＥＳ）、コントローラ１３５は、イメージセンサ１１５を制御して、適正露出である第１の露出値よりも低い第２の露出値で画像を撮像し、ＲＡＷデータ５０を生成する（Ｓ１２）。第２の露出値は、例えば、第１の露出値（適正露出）から一段低い露出値に設定される。
【００３７】
次に、コントローラ１３５は、画像処理部１２０を制御して、ＲＡＷデータ５０から、第１の露出値で、ＪＰＥＧフォーマットにしたがってＪＰＥＧ画像データ５４（第２画像データの一例）を生成する（Ｓ１３）。さらに、コントローラ１３５は、画像処理部１２０を制御して、ＲＡＷデータ５０から、第２の露出値で、ＨＤＲフォーマットにしたがってＨＤＲ画像データ５２（第１画像データの一例）を生成させる（Ｓ１４）。
【００３８】
コントローラ１３５は、生成されたＨＤＲ画像データ５２とＪＰＥＧ画像データ５４とを関連づけてメモリカード１４２に記録する（Ｓ１５）。このとき、コントローラ１３５は、ＨＤＲ画像データ５２とＪＰＥＧ画像データ５４に、拡張子を異ならせて同じファイル名を付して、メモリカード１４２に記録する。
【００３９】
一方、撮影モードがＨＤＲ撮影モードでない場合（Ｓ１１でＮＯ）、コントローラ１３５は、イメージセンサ１１５を制御して、適正露出で画像を撮像し、ＲＡＷデータを生成する（Ｓ１６）。そして、コントローラ１３５は、画像処理部１２０を制御して適正露出でＪＰＥＧ画像データを生成し（Ｓ１７）、生成したＪＰＥＧ画像データをメモリカード１４２に記録する（Ｓ１８）。
【００４０】
以上のようにして、デジタルカメラ１００は、ＨＤＲ撮影モードにおいては、ＨＤＲ画像データとともにＪＰＥＧ画像データを生成し、メモリカード１４２に記録する。また、ＨＤＲ撮影モードでない場合は、デジタルカメラ１００は、ＪＰＥＧ画像データのみを生成し、メモリカード１４２に記録する。
【００４１】
〔１−２−２．画像撮像動作の別の例〕
デジタルカメラ１００における画像撮像時の別の処理を説明する。図４のフローチャートに示す処理では、ユーザによるレリーズ釦の画像撮影指示に対して、１回の撮像動作により生成された１つのＲＡＷデータから、ＨＤＲ画像データとＪＰＥＧ画像データとを生成した。これに対して、以下に示す処理では、図５に示すように、ユーザによるレリーズ釦の画像撮影指示に対して、露出を変えて２回撮像動作を行い、それぞれの撮像動作により生成されたＲＡＷデータ５０ａ、５０ｂから、ＨＤＲ画像データ５２とＪＰＥＧ画像データ５４とをそれぞれ生成する。
【００４２】
図６は、デジタルカメラ１００における画像撮像時の別の処理を示すフローチャートである。
【００４３】
ユーザによりレリーズ釦の押下による画像撮影指示がなされると（Ｓ２０でＹＥＳ）、コントローラ１３５は、撮影モードがＨＤＲ撮影モードか否かを判断する（Ｓ２１）。ＨＤＲ撮影モードである場合（Ｓ２１でＹＥＳ）、コントローラ１３５は、イメージセンサ１１５を制御して、適正露出である第１の露出値で、画像を撮像してＲＡＷデータ５０ｂ（第２の元画像データの一例）を生成し、さらに、画像処理部１２０を制御してそのＲＡＷデータ５０ｂからＪＰＥＧ画像データ５４を生成する（Ｓ２２）。
【００４４】
次に、コントローラ１３５は、イメージセンサ１１５を制御して、第１の露出値よりも低い第２の露出値で画像を撮像してＲＡＷデータ５０ａ（第１の元画像データの一例）を生成し、さらに、画像処理部１２０を制御してそのＲＡＷデータ５０ａからＨＤＲ画像データ５２を生成する（Ｓ２３）。
【００４５】
コントローラ１３５は、ＪＰＥＧ画像データ５４とＨＤＲ画像データ５２とを関連づけてメモリカード１４２に記録する（Ｓ２４）。このとき、ＪＰＥＧ画像データとＨＤＲ画像データとに、拡張子を異ならせて同じファイル名を付して、メモリカード１４２に記録する。
【００４６】
一方、撮影モードがＨＤＲ撮影モードでない場合（Ｓ２１でＮＯ）、コントローラ１３５は、イメージセンサ１１５を制御して、適正露出で画像を撮像し、ＲＡＷデータを生成する（Ｓ２５）。そして、コントローラ１３５は、適正露出でＪＰＥＧ画像データを生成し（Ｓ２６）、メモリカード１４２に記録する（Ｓ２７）。
【００４７】
以上のような処理によっても、デジタルカメラ１００は、ＨＤＲ撮影モードにおいて、ＨＤＲ画像データとともにＪＰＥＧ画像データを生成し、メモリカード１４２に記録することができる。また、ＨＤＲ撮影モードでない場合は、デジタルカメラ１００は、ＪＰＥＧ画像データのみを生成し、メモリカード１４２に記録することができる。
【００４８】
本実施の形態のデジタルカメラ１００では、記録した画像を液晶モニタ１３０上で再生する場合、ＨＤＲ画像データとＪＰＥＧ画像データのペアにおいていずれかの画像を表示させる。この場合、いずれを表示させるかは、ユーザによる操作部１５０を介した指示により切り替えられるようにしてもよい。
【００４９】
また、デジタルカメラ１００は、ＨＤＲ画像データをよりダイナミックレンジが小さいＳＤＲ画像データに変換し、外部の機器に出力する機能を有してもよい。
【００５０】
〔１−３．効果、等〕
以上のように本実施の形態のデジタルカメラ１００は、被写体を撮像し、ＲＡＷデータ５０、５０ａ、５０ｂを生成するイメージセンサ１１５と、輝度のダイナミックレンジが広いＨＤＲ画像データを生成するためのＨＤＲ撮影モード（特定の撮影モードの一例）において、ＲＡＷデータから、ＨＤＲ画像データ５２と、ＨＤＲ画像データよりも小さい輝度のダイナミックレンジを有するＪＰＥＧ画像データ５４とを生成する画像処理部１２０と、ＨＤＲ画像データ５２およびＪＰＥＧ画像データ５４をメモリカード１４２に記録するカードスロット１４０と、を備える。
【００５１】
ＨＤＲ画像データ５２及びＪＰＥＧ画像データ５４は静止画のデータである。ＪＰＥＧ画像データ５４は、ＨＤＲ画像データ５２よりも高い露出値（例えば、適正露出）で生成される。
【００５２】
この構成により、ＨＤＲ画像データの生成時においてＪＰＥＧ画像データも同時に生成される。このため、ＨＤＲ画像データを再生できない電子機器においては、ＨＤＲ画像データに関連するＪＰＥＧ画像データを再生することで、ユーザはＨＤＲ画像データと実質的に同一の被写体の静止画を閲覧することができる。
【００５３】
デジタルカメラ１００は、絞り値、シャッタ速度及びＩＳＯ感度に基づき適正露出を決定するコントローラ１３５をさらに備えてもよい。このとき、図４に示すように、イメージセンサ１１５は、適正露出である第１の露出値よりも低い第２の露出値で被写体を撮像してＲＡＷデータ５０を生成し（Ｓ１２）、画像処理部１２０は、ＲＡＷデータ５０から、第２の露出値でＨＤＲ画像データ５２を生成し（Ｓ１４）、かつ、第１の露出値でＪＰＥＧ画像データ５４を生成してもよい（Ｓ１３）。これにより、ＨＤＲ画像データ５２とともにＪＰＥＧ画像データ５４を生成できる。
【００５４】
または、図６に示すように、イメージセンサ１１５は、適正露出よりも低い露出値で被写体を撮像してＲＡＷデータ５０ａを生成し、画像処理部１２０は、ＲＡＷデータ５０ａからＨＤＲ画像データ５２を生成してもよい（Ｓ２３）。また、イメージセンサ１１５は、適正露出で被写体を撮像してＲＡＷデータ５０ｂを生成し、画像処理部１２０は、ＲＡＷデータ５０ｂからＪＰＥＧ画像データ５４を生成してもよい（Ｓ２２）。これによっても、ＨＤＲ画像データ５２とともにＪＰＥＧ画像データ５４を生成できる。
【００５５】
また、デジタルカメラ１００は液晶モニタ１３０と、ＨＤＲ画像データ又はＪＰＥＧ画像データを液晶モニタ１３０に表示させるコントローラ１３５と、同時に記録されたＨＤＲ画像データ又はＪＰＥＧ画像データのいずれかを液晶モニタ１３０に表示する際に、ＨＤＲ画像データの表示とＪＰＥＧ画像データの表示を切り替えるための指示を受け付ける操作部１５０と、をさらに備えてもよい。これにより、ＨＤＲ画像データとＪＰＥＧ画像データのうちの表示させる画像をユーザが自由に切り替えることが可能になる。
【００５６】
ＨＤＲ画像データとＪＰＥＧデータとは拡張子を除いて同じファイル名を有するように設定する。これにより、同時に生成されたＨＤＲ画像データとＪＰＥＧデータを関連づけて管理することが可能になる。
【００５７】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００５８】
上記の実施の形態で説明した画像データのフォーマットは一例であり、他のフォーマットでもよい。例えば、ＨＳＰフォーマットに代えて、ＨＥＩＦ(High Efficiency Image File Format)、ＡＶＩＦ(AV Image File Format)でもよい。また、ＪＰＥＧフォーマットに代えて、ＴＩＦＦ(Tagged Image File Format)、ＰＮＧ(Portable Network Graphics)でもよい。
【００５９】
撮像装置の例としてデジタルカメラを説明したが、これに限定されない。撮像装置は、画像撮影機能を有する電子機器（例えば、ビデオカメラ、スマートフォン、タブレット端末等）であればよい。
【００６０】
以上のように、本開示における技術の例示として、実施の形態を説明した。そのために、添付図面および詳細な説明を提供した。
【００６１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６２】
また、上述の実施の形態は、本開示における技術を例示するためのものであるから、特許請求の範囲またはその均等の範囲において種々の変更、置き換え、付加、省略などを行うことができる。
【産業上の利用可能性】
【００６３】
本開示は、広い輝度のダイナミックレンジ（ＨＤＲ）の画像の撮像機能を有する撮像装置に有用である。
【符号の説明】
【００６４】
５０，５０ａ、５０ｂ  ＲＡＷデータ
５２  ＨＤＲ画像データ
５４  ＪＰＥＧ画像データ
８０  ＨＤＲ対応機器
８２  ＨＤＲ非対応機器
１００  デジタルカメラ
１１０  光学系
１１５  イメージセンサ
１２０  画像処理部
１２５  バッファメモリ
１３０  液晶モニタ
１３５  コントローラ
１４０  カードスロット
１４２  メモリカード
１４５  フラッシュメモリ
１５０  操作部
１５５  Ｗｉ−Ｆｉモジュール
１６０  Ｂｌｕｅｔｏｏｔｈモジュール
【図１】
2020022004.tif 000003
【図２】
2020022004.tif 000004
【図３】
2020022004.tif 000005
【図４】
2020022004.tif 000006
【図５】
2020022004.tif 000007
【図６】
2020022004.tif 000008